(57)【要約】【課題】全長の異なるマザーボードと全長の異なるハードディスクを組み合わせた複数種類のサーバ装置を製品ラインナップとして有する場合、全長の異なる複数のベースシャーシを新規に開発、製造する必要がある。ベースシャーシは筐体を構成する部品の中で最も大型であるため、製造用金型も大型となり、初期コストが増大となる。【解決手段】左右間口寸法が一定のラックに搭載されるサーバ装置の筐体構造であって、マザーボード及びハードディスクを奥行き方向に並べて搭載するベースシャーシと筐体背面のリアパネルと筐体上面のトップカバーから成るサーバ装置の筐体構造において、所定の全長を有する基準ベースシャーシを１つ用意し、前記マザーボードの全長と前記ハードディスクの全長に応じて前記リアパネルの全長を延ばす。【選択図】図４
2012073978.tif 000002
【特許請求の範囲】
【請求項１】
左右間口寸法が一定のラックに搭載されるサーバ装置の筐体構造であって、マザーボード及びハードディスクを奥行き方向に並べて搭載するベースシャーシと筐体背面のリアパネルと筐体上面のトップカバーから成るサーバ装置の筐体構造において、所定の全長を有する基準ベースシャーシを１つ用意し、前記マザーボードの全長と前記ハードディスクの全長に応じて前記リアパネルの全長を延ばすことを特徴とするサーバ装置の筐体構造。
【請求項２】
マザーボードとハードディスクを前記基準ベースシャーシに搭載できる場合は、前記マザーボードを、前記基準ベースシャーシ上に設置されたスタンドオフを介してネジで固定することを特徴とする請求項１記載のサーバ装置の筐体構造。
【請求項３】
マザーボードとハードディスクを前記基準ベースシャーシに搭載できない場合は、前記マザーボードを、前記全長を延ばしたリアパネル上に設置されたスタンドオフを介してネジで固定することを特徴とする請求項１記載のサーバ装置の筐体構造。
【請求項４】
前記ベースシャーシと前記リアパネルとはリベット締結により固定されていることを特徴とする請求項１乃至３のいずれか１項に記載のサーバ装置の筐体構造。
【請求項５】
請求項１乃至４のいずれか１項に記載の筐体構造を有するサーバ装置をラックに複数搭載したことを特徴とする情報処理装置。
【発明の詳細な説明】
【技術分野】
【０００１】
本発明は、マザーボード、ハードディスクを搭載するサーバ装置の筐体構造に関する。
【背景技術】
【０００２】
ラックマウントサーバ装置を搭載するラックキャビネットは、ＩＥＣ規格（Ｉｎｔｅｒｎａｔｉｏｎａｌ Ｅｌｅｃｔｒｉｃａｌ Ｃｏｍｍｉｓｓｉｏｎ）／ＥＩＡ規格（Ｔｈｅ Ｅｌｅｃｔｒｉｃａｌ Ｉｎｄｕｓｔｒｉｅｓ Ａｓｓｏｃｉａｔｉｏｎ）に規定された１９インチラックキャビネットが主流となっており、サーバ装置を搭載するための支柱の左右間口寸法を４５１ｍｍ、搭載における高さ寸法を１Ｕ（１ＥＩＡ）＝４４．４５ｍｍという単位で規定されている。
【０００３】
搭載されるマザーボード、ハードディスクの種類や搭載数等、実装されるデバイスによって、１Uサーバ、２Uサーバと１U単位で高さの異なるサーバ装置が主流となっており、さらに前述のようにサーバ装置を搭載する間口は規格化されているため、同一高さのサーバ装置で、異なるマザーボードやハードディスクを搭載するためには、筐体奥行のサイズを変更することで対応している。よって、様々なマザーボード種類、ハードディスク種類や数を組み合わせたサーバ装置を開発する場合、組み合わせ数に応じた筐体を開発・製造する必要がある。なかでも、筐体を構成する部品において、最もサイズが大きく、筐体全長を決定付けるベースシャーシの全長を変える必要があった。
【先行技術文献】
【特許文献】
【０００４】
【特許文献１】特開２００４−３５５４２５号公報
【発明の概要】
【発明が解決しようとする課題】
【０００５】
例えば、全長の異なる３種のマザーボード、同じく全長の異なる２種のハードディスクについて、それぞれ組み合わせた６パターンのサーバ装置を製品ラインナップとして有する場合、６パターンのベースシャーシを新規に開発、製造する必要がある。ベースシャーシは筐体を構成する部品の中で最も大型であるため、製造用金型も大型となり、初期コストが増大となる課題があった。
【０００６】
本問題を解決する為に、例えば、特開２００４−３５５４２５号公報のように、ハードディスク・デバイス部、ＦＡＮ部、マザーボード・ユニット電源等のモジュール構造とすることで、搭載するマザーボード、ハードディスク等の追加・変更による設計変更が必要な部品を小型化することで、開発コストを抑制するものがある。しかし、モジュール構造とすることで部品点数及び組立費の増加、接続部分の強度低下、といった課題がある。
【課題を解決するための手段】
【０００７】
本発明は、左右間口寸法が固定のラックに搭載されるサーバ装置の筐体構造であって、マザーボード及びハードディスクを奥行き方向に並べて搭載するベースシャーシと筐体背面のリアパネルと筐体上面のトップカバーから成るサーバ装置の筐体構造において、所定の全長を有する基準ベースシャーシを１つ用意し、前記マザーボードの全長と前記ハードディスクの全長に応じて前記リアパネルの全長を延ばすことを特徴とする。
【発明の効果】
【０００８】
本発明によれば、マザーボードやユニット電源、ハードディスクのサイズに応じ筐体全長を最適化された複数のサーバ装置を開発する際、筐体全長の最適化をリアパネルの全長変更にて対応することで、製造用金型が大型で金型費が最も高額であるベースシャーシを複数開発・製造する必要がなくなり金型費を大きく抑制することができる。
【図面の簡単な説明】
【０００９】
【図１】ラックマウントサーバ装置の概略図である。
【図２】ラックマウントサーバ装置の平面図である。
【図３】装置実装デバイス組合せ例を示す図である。
【図４】筐体全長変更例を示す平面図である。
【図５】筐体全長変更例を示す断面図である。
【図６】筐体全長変更例を示す斜視図である。
【図７】筐体全長変更例（パターンB改良）を示す断面図である。
【図８】サーバラックの斜視図である。
【発明を実施するための形態】
【００１０】
以下、本発明の実施形態に関わるサーバ構造について、ラックマウントサーバ装置を例とし、図面を参照して説明する。
【００１１】
図１は一般的なラックマウントサーバ装置２０を示す。筐体を構成する主な板金部品はベースシャーシ１、トップカバー２、リアパネル３となり、ベースシャーシ１に、ハードディスク４、ファン５、マザーボード６等が実装される。
【００１２】
リアパネル３はマザーボード６上の入出力コネクタ用に穴が設けられており、ベースシャーシ１とはリベット締結により固定されている。一般的なラックマウントサーバ装置においては、図２で示すように、その全長の基準となっているのはベースシャーシ１であり、リアパネル３はベースシャーシ１内に組み込まれる構造となっている。
【００１３】
複数の異なるマザーボードやハードディスクを実装する装置開発に関して、図３に示す組み合わせのデバイスを実装する筐体を開発する場合を例に説明する。図３に示す4つの筐体パターンのうち、マザーボード、ハードディスク全長が共に短いパターンＡの組み合わせがベースシャーシ１の全長を最も短くできる。このときのベースシャーシ１及びリアパネル３aを基準として、バターンＢの組み合わせのデバイス実装時は、ベースシャーシ１の全長はそのままで、リアパネルの全長を延ばして対応する。
【００１４】
例えば、図４で示すように、パターンＡに対し、パターンＢはハードディスク全長が50mm長いことから、基準となるベースシャーシ１に、全長を50mm長くしたリアパネル３bを実装する。
【００１５】
次にリアパネルとベースシャーシの接続について詳細に説明する。図５に図４で示すパターンＡ上の断面線α−α及びパターンＢ上の断面線β−βに対するそれぞれの断面図を示す。図６にマザーボード６を取り外した状態の斜視図を示す。リアパネル３a及びリアパネル３bはリベット８によりベースシャーシ１に複数箇所で締結される。マザーボード６の取り付けは、パターンＡではベースシャーシ１上に設置されたスタンドオフ９aによりネジ１０にて固定される。パターンＢでは図５で示す断面図のように、ベースシャーシ１とリアパネル３b間で高さ方向にリアパネル３bの板厚分の段差が発生する部分においては、スタンドオフ９aよりリアパネル３bの板厚分低いスタンドオフ９bをリアパネル３b上に設置し、ネジ１０にて固定する。
【００１６】
尚、ベースシャーシとリアパネルの段差発生により不都合が発生する場合は、図７で示すように、リアパネルとベースシャーシ１の接合部分を段曲げ加工にすることで対応できる。
【００１７】
同様に、パターンＣ、Ｄでは、リアパネル全長をそれぞれ、100m、150mm延ばして対応する。
【００１８】
図８は、本発明の筐体構造のリアパネル３を有するサーバ装置２０をラック１１に複数搭載した状態を示すサーバラックの斜視図である。このようなサーバラックにより情報処理装置が実現される。
【符号の説明】
【００１９】
１    ベースシャーシ
２    トップカバー
３    リアパネル
３a   リアパネル（パターンA）
３b   リアパネル（パターンB）
４    ハードディスク
５    ファン
６    マザーボード
７    ユニット電源
８    リベット
９a   スタンドオフ（パターンA)
９b   スタンドオフ（パターンB）
１０  ネジ
１１  ラック
２０  ラックマウントサーバ装置
【図１】
2012073978.tif 000003
【図２】
2012073978.tif 000004
【図３】
2012073978.tif 000005
【図４】
2012073978.tif 000006
【図５】
2012073978.tif 000007
【図６】
2012073978.tif 000008
【図７】
2012073978.tif 000009
【図８】
2012073978.tif 000010